(57)【要約】      （修正有）【課題】カウンター等に設置できてコンパクトで、コーティング剤の撥水性及び／又は疎水性を目で見て効果を実感できる撥水性・疎水性効果確認実演装置を提供する。【解決手段】少なくとも一部が透明板からなる貯水タンク本体１と、該貯水タンク底部に配置した電動水中ポンプ６と、プレートを照射するための貯水タンク上部に配置した防水型ＬＥＤ照明３と、防水型ＬＥＤ照明の下方斜めに配置した評価の為のコーティング剤を塗布したプレート１２と、防水型ＬＥＤ照明とコーティングを塗布したプレートの中間位置に配置した電動水中ポンプから吸い上げた水を散水させるための水量調節可能なコック７と、を備え、散水条件を変化させることにより、塗布したコーティング剤の評価をプレート上の水弾き状況により目視確認できる。【選択図】図１
0003223932.tif 000002
【実用新案登録請求の範囲】
【請求項１】
少なくとも一部を透明板からなる貯水タンク本体に電動水中ポンプと水量調整コック並びに照角変更のできる防水型ＬＥＤ照明を有し、コーティング剤を塗布したプレートに循環流水し、プレート上の水弾きを目視で確認できることを特徴とする撥水性・疎水性効果確認実演装置。
【考案の詳細な説明】
【技術分野】
【０００１】  本考案は、貯水タンクに水中ポンプ及び水量調整コック並びにＬＥＤ照明を有した撥水効果及び／又は疎水効果を確認するための実演装置である。
【背景技術】
【０００２】  ガソリンスタンド、コーティング専門業者、中古車販売店、自動車部品量販店等において現物のボンネットやドア並びにトランクなどの巨大な部品を展示して、ジョーロやホースを用いて手動で水をかけ、お客様にコーティングの効果を説明していた。撥水効果及び／又は疎水効果を実演する為には実物の車体又はその一部を用意し、実際に水をかけ撥水性及び／又は疎水性を見せる為、大きなスペースと作業する人員を必要とする問題点があった。
【考案の概要】
【考案が解決しようとする課題】
【０００３】  カウンターやラック等に設置できるコンパクトな本体、電動で常時流水出来る機能を有することで、コーティング剤の撥水性及び／又は疎水性を目で見て効果を実感できる撥水性・疎水性効果確認実演装置を提供することにある。
【課題を解決するための手段】
【０００４】  少なくとも一部を透明板からなる本体は幅２２０〜９５０ｍｍが好ましい・奥行２２０〜５００ｍｍが好ましい、高さ１００〜５００ｍｍが好ましい、板厚３〜１０ｍｍが好ましくシール剤又は接着剤で組み合わせた貯水部で電動稼働する給水量調整付の水中ポンプ１〜２個と水量調整できるコック３〜１５個を等間隔に配置することが好ましく、照角変更のできる防水型ＬＥＤ照明を１〜４個を設置することが好ましく、本体内部には塗装済プレートの中央に３〜１０ｍｍのラインシール貼りが好ましく、左右のどちらか片面にコーティング剤を事前に塗布し斜めに配置できるスライドレール上に置き、ストッパーで固定することで、常時流水が可能となり、目で見てコーティング剤の撥水効果及び／又は疎水効果の確認を実感できる。
【考案の効果】
【０００５】  上述の様に、本考案の小型装置は接客対応をしない状態であっても電動で実演をし続け、店内にいるお客様がコーティング剤の撥水効果及び／又は疎水効果を目で見て確認できるものである。更に防水型ＬＥＤ照明を完備することで、本考案装置の設置場所の照度に左右されることなく撥水の効果及び／又は疎水の効果を確認することが出来る。
【図面の簡単な説明】
【０００６】
【図１】本考案の撥水性・疎水性効果確認実演装置の実施例を示す外観図である。
【考案を実施するための形態】
【０００７】  カウンターやデスクなど安定した場所に滑り止めのウレタンマットを敷き、本体を配置する。自動車用塗料を塗布したパネルの半面にコーティング剤を塗布し、スライドレール上に配置しストッパーで固定する。本体三方向に貼り付けている５０ｍｍ幅のテープの上部まで水約４Ｌを入れ水中ポンプとＬＥＤ照明の電源プラグをコンセントに入れ水流と照明の角度を確認する。流水量が多い場合は、流水調整コックで適量に変更する。
【実施例１】
【０００８】  以下、添付図面に従って一実例を説明する。
１は底面・側面・背面・正面を４．８ｍｍ厚の透明ガラス板を貼り合わせた本体で、横幅３００ｍｍ、奥行３００ｍｍ、高さ３００ｍｍの貯水部
２は側面・正面・側面の三方向に貼り付けた５０ｍｍ幅のテープで約４Ｌの必要水量の目安ライン
３はＡＣ１００Ｖで点灯する防水型ＬＥＤ照明でＬＥＤは白色に発光する
４は３の防水型ＬＥＤ照明を回転補助及び支持用のクランプ２個
５は装置内部に取付けるパネルを斜めに設置するためのスライドレールで末端部は可動可能なストッパー
６はＡＣ１００Ｖで稼働する水中ポンプで揚水量調整ができ毎分３．５Ｌの能力を持ち貯水タンク内の水を循環させる
７は水中ポンプでくみ上げた水を排出する５個の流量調整コック
８は１のガラスの保護用カブセで装置の清掃作業時に破損やケガを防ぐ効果を持つ
９は１の貯水タンクに水を戻す際に水の跳ね返りを最大限に防ぐフロントパネル
１０は３の防水型ＬＥＤ照明及び６の水中ポンプの電源プラグ
１１は本考案装置を設置する際に敷く滑り止め用のウレタンマット
１２は２２５ｍｍ角に切断した３ｍｍ厚のアルミ複合板に自動車用の塗料を塗布して中央に左右を区別するためのラインテープを貼って、片方にコーティング剤を塗布したパネル、電源を入れると３が点灯し６が稼働することで水を流下させることによりパネルに塗布したコーティング剤の撥水性及び／又は疎水性を目で見て評価することができる。【０００９】  本考案の一実例は上述の構成からなるものであるから、本体内部より小さい寸法の製品であれば１２のパネルに限らずガラスプレートやプラスチック板、金属板等にコーティングを施すことで同様の機能を発揮することができる。
【符号の説明】
【００１０】  １      透明ガラス製貯水部本体
２      水位適量ライン
３      ＡＣ１００Ｖ仕様防水型ＬＥＤ照明
４      防水型ＬＥＤ照明支持用クランプ
５      コーティング塗布済パネルを固定するスライドレール
６      ＡＣ１００Ｖ仕様水中ポンプ
７      流量調整コック
８      ガラス保護カブセ
９      水の跳ね返りを防ぐフロントパネル
１０    防水型ＬＥＤ照明と水中ポンプの電源プラグ
１１    滑り止め用ウレタンマット
１２    塗装済みパネル
【図１】
0003223932.tif 000003
【手続補正書】
【提出日】令和1年8月21日(2019.8.21)
【手続補正１】
【補正対象書類名】実用新案登録請求の範囲
【補正対象項目名】全文
【補正方法】変更
【補正の内容】
【実用新案登録請求の範囲】
【請求項１】
少なくとも一部が透明板からなる貯水タンク本体と、
該貯水タンク底部に配置した電動水中ポンプと、
プレートを照射するための貯水タンク上部に配置した防水型ＬＥＤ照明と、
防水型ＬＥＤ照明の下方斜めに配置した評価の為のコーティング剤を塗布したプレートと、
防水型ＬＥＤ照明とコーティングを塗布したプレートの中間位置に配置した電動水中ポンプから吸い上げた水を散水させるための水量調節可能なコックと、
を備え、散水条件を変化させることにより、塗布したコーティング剤の評価をプレート上の水弾き状況により目視確認できることを特徴とする撥水性・疎水性効果確認実演装置。